(57)【要約】      （修正有）【課題】被載置体との間に隙間が生じないように載置し得るシート型タッチパネルを有するタッチパネル装置を提供する。【解決手段】巻き取り装置により巻き取り可能な可撓性を有するシート型タッチパネル４を、タッチ面４ａ側からカバーシート１１、電極シート１２、マグネットシート１３、ギャップ保持シート１４の順に一体に積層する。マグネットシートと磁性体との間の磁気吸引力により、シート型タッチパネルを平面上に、しわが生じることなく固定することができる。その場合に、磁性体の影響を受けて電極シートにおける位置検出にエラーが生じる虞があるが、電極シートの厚さの確保や、ギャップ保持シートを設けることにより、電極シートと被載置体との間に所定のギャップを確保して、位置検出エラーの発生を回避することができる。【選択図】図３
2013190857.tif 000002
【特許請求の範囲】
【請求項１】
可撓性を有するシート状のシート型タッチパネルと、前記シート型タッチパネルを繰り出し可能に巻き取る巻き取り装置とを有し、
前記シート型タッチパネルが、
タッチ面に対するタッチ位置を検出する静電容量方式の電極シートと、
磁性体を備える被載置体の表面に載置して使用する場合に磁気吸引力により固定するべく、前記電極シートの前記タッチ面側とは相反する側に積層された所定の厚さのマグネットシートとを有することを特徴とするタッチパネル装置。
【請求項２】
前記電極シートの前記タッチ面側に第２マグネットシートが積層されていることを特徴とする請求項１に記載のタッチパネル装置。
【請求項３】
前記マグネットシートの前記電極シート側とは相反する側に、前記被載置体の表面に載置して使用する場合の前記電極シートと当該表面との間に所定の間隔を保持するためのギャップ保持シートが積層されていることを特徴とする請求項１または請求項２に記載のタッチパネル装置。
【請求項４】
前記ギャップ保持シートが、前記被載置体の表面に密着し得る吸着面を有する吸着シートであることを特徴とする請求項３に記載のタッチパネル装置。
【請求項５】
前記マグネットシートが異方性磁石により形成されていることを特徴とする請求項１乃至請求項４のいずれかに記載のタッチパネル装置。
【発明の詳細な説明】
【技術分野】
【０００１】
本発明は、巻き取り可能な可撓性を有するシート型タッチパネルを用いたタッチパネル装置に関するものである。
【背景技術】
【０００２】
従来、電子ペンとタッチパネルとを組み合わせた電子ペンシステムがパソコンや携帯情報端末の分野で知られている。また、タッチパネルを大画面の表示装置と組み合わせて、多人数を対象にしたプレゼンテーションや講義で使用することができるようにした、いわゆるインタラクティブホワイトボード（電子黒板）があり、それに電子ペンシステムを用いる技術が知られている（特許文献１参照）。
【先行技術文献】
【特許文献】
【０００３】
【特許文献１】特開２００９−２９４８７１号公報
【発明の概要】
【発明が解決しようとする課題】
【０００４】
上記インタラクティブホワイトボードとしては、ホワイトボード使用時にはタッチパネルを収容し、タッチパネル使用時にはホワイトボードの前面にタッチパネルを配置する使用方法がある。例えば、タッチパネルを巻き取り可能なフレキシブルシート状に構成し、ホワイトボード上端の前面側に巻き取り装置を取り付けることにより、タッチパネルを使用しない時には巻き取り装置によりタッチパネルを巻き取っておき、使用時には巻き取り装置からタッチパネルをホワイトボードの前面に繰り出すことができる。
【０００５】
タッチパネルをホワイトボードの前面に吊り下げ状態にした場合には、タッチパネルは巻き取り装置から吊り下げられた状態となる。一方、巻き取り可能にするためにはタッチパネルの可撓性が要求される。そのような可撓性を有するタッチパネルでは吊り下げ状態でしわが生じる虞がある。タッチパネルとホワイトボードとの間にしわによる隙間が生じていて、タッチ操作によりタッチパネルが変位すると、タッチ位置に対して検出位置がずれてしまう虞があった。
【０００６】
また、巻き取り装置を可搬型とすることにより、ホワイトボード以外にも使用可能となり、汎用性が向上する。例えば、机の上に拡げて使用することができる。また、タッチパネルを透明材料で形成した場合には、机の上に拡げた図面の上にタッチパネルを重ねて置くことにより、タッチパネルを介してコンピュータと連係させて効率的に作業することができる。しかしながら、この場合でも、巻き取り装置から繰り出された状態のタッチパネルにしわが生じていると、上記と同様にタッチ位置のずれが生じる虞がある。
【０００７】
本発明は、このような従来技術の問題点を解消するべく案出されたものであり、その主な目的は、巻き取り装置により巻き取り可能な可撓性を有するシート型タッチパネルにおいて、ホワイトボード等の被載置体の平坦な表面との間に隙間が生じないように載置し得るタッチパネル装置を提供することにある。
【課題を解決するための手段】
【０００８】
本発明のタッチパネル装置は、可撓性を有するシート状のシート型タッチパネルと、前記シート型タッチパネルを繰り出し可能に巻き取る巻き取り装置とを有し、前記シート型タッチパネルが、タッチ面に対するタッチ位置を検出する静電容量方式の電極シートと、磁性体を備える被載置体の表面に載置して使用する場合に磁気吸引力により固定するべく、前記電極シートの前記タッチ面側とは相反する側に積層された所定の厚さのマグネットシートとを有する構成とする。
【発明の効果】
【０００９】
本発明によれば、可撓性を有するシート型タッチパネルを被載置体の例えば平坦な表面に載置して使用する場合にしわが生じる虞があるのに対して、被載置体に磁性体が設けられている場合には、シート型タッチパネルがマグネットシートを有することから、マグネットシートと磁性体との間の磁気吸引力により、シート型タッチパネルを被載置体に、しわが生じることなく固定することができる。その場合に、磁性体の影響を受けて電極シートにおける位置検出にエラーが生じる虞があるが、マグネットシートの厚さを、電極シートと磁性体との間に所定のギャップを確保し得る厚さとすることにより、位置検出エラーの発生を回避することができる。
【図面の簡単な説明】
【００１０】
【図１】本発明によるタッチパネル装置の使用例を示す全体斜視図
【図２】タッチパネル装置の回路構成を示す全体図
【図３】シート型タッチパネルの構成の一例を示す要部拡大断面図
【図４】本発明による第２の実施形態を示す全体斜視図
【図５】第２の実施形態を示す要部拡大断面図
【図６】第３の実施形態を示す要部拡大断面図
【図７】タッチパネル装置の他の実施形態を示す全体側面図
【図８】他の実施形態のシート型タッチパネルの構成を示す要部拡大断面図
【発明を実施するための形態】
【００１１】
前記課題を解決するためになされた第１の発明は、可撓性を有するシート状のシート型タッチパネルと、前記シート型タッチパネルを繰り出し可能に巻き取る巻き取り装置とを有し、前記シート型タッチパネルが、タッチ面に対するタッチ位置を検出する静電容量方式の電極シートと、磁性体を備える被載置体の表面に載置して使用する場合に磁気吸引力により固定するべく、前記電極シートの前記タッチ面側とは相反する側に積層された所定の厚さのマグネットシートとを有する構成とする。
【００１２】
これによると、可撓性を有するシート型タッチパネルを被載置体の例えば平坦な表面に載置して使用する場合にしわが生じる虞があるのに対して、被載置体に磁性体が設けられている場合には、シート型タッチパネルがマグネットシートを有することから、マグネットシートと磁性体との間の磁気吸引力により、シート型タッチパネルを被載置体に、しわが生じることなく固定することができる。その場合に、磁性体の影響を受けて電極シートにおける位置検出にエラーが生じる虞があるが、マグネットシートの厚さを、電極シートと磁性体との間に所定のギャップを確保し得る厚さとすることにより、位置検出エラーの発生を回避することができる。
【００１３】
また、第２の発明は、前記第１の発明において、前記電極シートの前記タッチ面側に第２マグネットシートが積層されている構成とする。
【００１４】
これによると、磁性体との間の磁気吸引力が増大して、より一層確実にシート型タッチパネルを固定することができると共に、タッチ面と電極シートとの間に比誘電率の高い第２マグネットシートが介装されていることにより、電極シートにおけるタッチ位置検出の感度（特に隣接感度）が向上し、検出精度が向上する。
【００１５】
また、第３の発明は、前記第１または第２の発明において、前記マグネットシートの前記電極シート側とは相反する側に、前記被載置体の表面に載置して使用する場合の前記電極シートと当該表面との間に所定の間隔を保持するためのギャップ保持シートが積層されている構成とする。
【００１６】
これによると、軽量化のために薄いマグネットシートを用いた場合に、電極シートと磁性体との距離が縮まると、磁性体の影響を受けて電極シートにおける位置検出にエラーが生じる虞があるが、ギャップ保持シートを設けることにより、電極シートと磁性体との間のギャップを大きく取ることができるため、位置検出エラーの発生を回避することができる。
【００１７】
また、第４の発明は、前記第３の発明において、前記ギャップ保持シートが、前記被載置体の表面に密着し得る吸着面を有する吸着シートである構成とする。
【００１８】
これによると、磁性体が設けられていない例えば机の上にシート型タッチパネルを載置して使用する場合でも、吸着シートを机等の面に密着させることができるため、シート型タッチパネルの固定が容易に確保される。
【００１９】
また、第５の発明は、前記第１乃至第４のいずれかの発明において、前記マグネットシートが異方性磁石により形成されている構成とする。
【００２０】
これによると、異方性磁石の異方性の結晶配列における結晶の向きが磁化容易方向に一定方向のため、磁化容易方向から磁化した場合に強い磁石となるため、薄いマグネットシートを用いて同等の磁気吸引力を確保することができる。これにより、より一層の軽量化が可能となる。
【００２１】
以下、本発明の実施の形態を、図面を参照しながら説明する。
【００２２】
図１は、本発明によるタッチパネル装置の使用例を示す全体斜視図である。図１では、タッチパネル装置１を被載置体としてのホワイトボード２と組み合わせて使用する例を示している。例えば壁（図示せず）に固定されたホワイトボード２の表面であるボード面２ａ側にタッチパネル装置１が組み付けられている。
【００２３】
このタッチパネル装置１は、ホワイトボード２の上縁部に組み付けられた巻き取り装置３と、巻き取り装置３により巻き取り可能に一端（上縁）が結合された可撓性を有するシート状のシート型タッチパネル４と、シート型タッチパネル４の他端（下縁）の縁に沿って取り付けられたバー状の筐体５とにより構成されている。巻き取り装置３は、ホワイトボード２の上縁部に引っ掛けるためのフック３ａを備える横長の箱型ケーシング３ｂと、ケーシング３b内に設けられたモータ３ｃと、ケーシング３ｂ内に回転自在に受容されかつモータ３ｃにより駆動される巻き取り軸３ｄとを有する。シート型タッチパネル４は、その上縁が巻き取り軸３ｄに結合されており、モータ３ｃの正逆転に応じて、巻き取り装置３に巻き取られ、また繰り出される。なお、シート型タッチパネル４を張った状態にする場合にはバー状の筐体５を把持して巻き取り装置３から引き出す。
【００２４】
図２は、タッチパネル装置の回路構成を示す全体図である。シート型タッチパネル４は、そのタッチ面に対する導電体の接近または接触に応じた静電容量の変化からタッチ位置を検出する静電容量方式であり、互いに並走する複数の送信電極６と、この送信電極６と絶縁されかつ格子状に配置されて互いに並走する複数の受信電極７とを有する。なお、両電極６・７間にはシート状絶縁体が介装されている。
【００２５】
筐体５内には、シート型タッチパネル４の位置検出を行うための制御ユニット８が内蔵されている。制御ユニット８には、タッチ位置算出部８ｆを備えてタッチ位置検出の制御を行う制御部８ａと、制御部８ａに接続された送信パルス発生部８ｂ及び受信信号処理部８ｃと、送信パルス発生部８ｂに接続された送信電極選択部８ｄと、受信信号処理部８ｃに接続された受信電極選択部８ｅとが設けられている。
【００２６】
受信電極７により検出された受信信号は受信電極選択部８ｅに入力する。送信電極６と受信電極７とが交差する電極交点にはコンデンサが形成され、ユーザが指示物９でタッチ操作を行うと、これに応じて電極交点の静電容量が実質的に減少することで、タッチ操作の有無を検出することができる。
【００２７】
タッチ操作の検出方式としては、例えば、相互容量方式を採用することができる。制御部８ａから送信パルス発生部８ｂを介して送信電極選択部８ｄにパルス波の駆動信号を出力し、送信電極選択部８ｄから各送信電極６に駆動信号を印加する。この駆動信号に応答して受信電極７に充放電電流が流れ、このとき、ユーザのタッチ操作に応じて電極交点の静電容量が変化すると、受信電極７の充放電電流が変化する。この充放電電流の変化量を受信電極選択部８ｅで受信電極７ごとに検出し、その検出信号に応じて、受信信号処理部８ｃは、受信電極７ごとのレベル信号（ディジタル信号）に変換して制御部８ａのタッチ位置算出部８ｆに出力する。タッチ位置算出部８ｆでは、各送信電極６に対するタイミングと受信電極７ごとのレベル信号とによる電極交点ごとのレベル信号からタッチ位置を算出する。この相互容量方式では、同時に複数のタッチ位置を検出する、いわゆるマルチタッチ（多点検出）が可能である。
【００２８】
なお、制御ユニット８と例えばプロジェクタである外部機器１０とを接続し、シート型タッチパネル４のタッチ面をプロジェクタ用のスクリーンとして用いることができる。これにより、プレゼンテーションや講義に用いる、いわゆるインタラクティブホワイトボードとして用いることができる。または、シート型タッチパネル４の各構成部品をいずれも透明材料で構成することにより、ホワイトボード２のボード面２ａに書かれた図形等に対して新たな書き込みを行うことができる。その場合には、外部機器１０としてパーソナルコンピュータを接続することにより、シート型タッチパネル４に対して描いた図形や文字等をデータとして記憶することができる。
【００２９】
図３は、シート型タッチパネル４の構成の一例を示す要部拡大断面図である。図３に示されるように、シート型タッチパネル４は、タッチ面４ａ側から、合成樹脂製のカバーシート１１、フィルム型電極シート１２、マグネットシート１３、例えば不織布からなるギャップ保持シート１４がこの順に一体に積層されて、全体で１枚のシート状に形成されている。なお、各シート１１〜１４は、いずれも透明材料で構成され、例えば接着剤で接着されている。
【００３０】
ホワイトボード２の内側には、例えばボード面２ａに対応する範囲に磁性体からなる金属板１５が埋設されている。なお、磁性体としては、強磁性と称される金属であってよく、Ｆｅを主成分とするものや、Ｃｏ、Ｎｉ等が含まれる合金がある。これにより、シート型タッチパネル４を図１に示されるように巻き取り装置３から繰り出して垂下させた場合に、マグネットシート１３と金属板１５との間の磁気吸引力によりシート型タッチパネル４をボード面２ａに確実に固定することができる。よって、タッチ面４ａに対するタッチ操作に対してシート型タッチパネル４の安定した固定状態を保持することができ、タッチ位置に対する検出位置のずれが生じない。
【００３１】
また、マグネットシート１３のボード面２ａ側にギャップ保持シート１４を設けていることにより、電極シート１２と金属板１５との間に最低限の所定のギャップ（マグネットシート１３とギャップ保持シート１４とを合わせた厚さ）が確保される。これにより、電極シート１２と金属板１５とを確実に所定距離以上離間させることができるため、電極シート１２における静電容量の変化を何等問題無く検出することができる。
【００３２】
なお、マグネットシート１３を厚くして、上記と同様のギャップを確保することもできるが、その場合にはマグネットシート１３が厚くなることにより重量増となってしまう。それだけでなく、マグネットシート１３の厚さにより巻き取り抵抗が大きくなったり、製品コストが増大するという問題が生じる。
【００３３】
一方、磁気吸引力を大きくして確実にボード面２ａ上に固定することが望まれる。それに対しては、マグネットシート１３を構成する磁石を異方性磁石とするとよい。異方性磁石は、異方性の結晶配列における結晶の向きが磁化容易方向に一定方向のため、磁化容易方向から磁化した場合に強い磁石となる。これにより、薄いマグネットシート１３を用いて同等の磁気吸引力を確保することができ、より一層の軽量化が可能となる。
【００３４】
図４は、本発明による第２の実施形態を示す全体斜視図である。この実施形態では、シート型タッチパネル４を被載置体としての机２１の表面である上面２１ａに載置して使用する場合を示している。図４に示されるように、例えば机２１の上面２１ａに図面２２を拡げて置き、その上にシート型タッチパネル４を載置する。この場合も上記と同様に、シート型タッチパネル４が透明材料で構成されていることにより、図面２２の任意の位置に対してタッチ面４ａによる操作を関連付けることができる。
【００３５】
図５は、第２の実施形態を示す要部拡大断面図である。なお、図５は図３に対応する図であり、図３と同様の部分は同一の符号を付してその詳しい説明を省略する。図５に示されるシート型タッチパネル４では、タッチ面４ａ側から積層された合成樹脂製のカバーシート１１、フィルム型電極シート１２、マグネットシート１３の構成は図３と同じであってよい。
【００３６】
図３におけるギャップ保持シート１４は不織布により形成されていたが、この第２の実施形態のシート型タッチパネル４には、上記ギャップ保持シート１４に代えて吸着シート２３が設けられている。吸着シート２３の外面となる吸着面２３ａは、机２１の上面２１ａ等の平坦面に密着し得る平面度を有する。これにより、吸着面２３ａが机２１の上面２１ａへ密着し、タッチ面４ａに対するタッチ操作に対してシート型タッチパネル４の安定した固定状態を保持し得る。また、吸着面２３ａには微細な孔２３ｂが多数配置されている。これにより、吸着面２３ａの密着性と併せて机２１の上面２１ａへの密着性が高まるため、タッチ面４ａに対するタッチ操作に対してシート型タッチパネル４の固定状態をより一層安定して保持し得る。
【００３７】
このように構成されたシート型タッチパネル４をホワイトボード２に吊り下げて使用する場合にも吸着シート２３による吸着力が得られる。したがって、不織布によるギャップ保持シート１４を用いた構成のものよりも、ボード面２ａにシート型タッチパネル４をより一層確実に固定することができる。
【００３８】
なお、机２１には、上記ホワイトボード２と同様に金属板１５（図５の二点鎖線）が埋設されているものがある。その場合には、マグネットシート１３による磁気吸引力により固定することができるため、不織布からなるギャップ保持シート１４を設けたシート型タッチパネル４を用いることができる。例えば、第１の実施形態（図１）におけるフック３ａを着脱自在または折りたたみ自在な構造にしておくことにより、ホワイトボード２に吊したり、机２１の上に置いたりして使用することに対応し得る。
【００３９】
図６は、第３の実施形態を示す要部拡大断面図である。なお、図６は図３に対応する図であり、図３と同様の部分は同一の符号を付してその詳しい説明を省略する。図６に示されるシート型タッチパネル４では、タッチ面４ａ側から、合成樹脂製のカバーシート１１、第２マグネットシート１３ｂ、フィルム型電極シート１２、第１マグネットシート１３ａがこの順に一体に積層されて、全体で１枚のシート状に形成されている。なお、各シート１１・１２・１３ａ・１３ｂは、いずれも透明材料で構成されている。
【００４０】
この第３の実施形態では、電極シート１２のタッチ面４ａ側に第２マグネットシート１３ｂが設けられている。タッチ面４ａと電極シート１２との間に比誘電率の高い第２マグネットシート１３ｂが介装されていることから、電極シート１２におけるタッチ位置検出の感度（特に隣接感度）が向上する。さらに、第２マグネットシート１３ｂによる磁気吸引力によりシート型タッチパネル４全体の磁力が強力になるため、より強固に固定することができ、より一層位置検出の安定動作が確保される。
【００４１】
図７は、タッチパネル装置の他の実施形態を示す全体側面図である。このタッチパネル装置３１は、ホワイトボード２や机２１に磁性体からなる金属板が埋設されていない場合に好適に適用し得るものである。タッチパネル装置３１は、巻き取り装置３２と、巻き取り装置３２により巻き取り可能な可撓性を有するシート状のシート型タッチパネル３３と、シート型タッチパネル３３の繰り出し端の下縁に沿って取り付けられたバー状の筐体３４とにより構成されている。
【００４２】
巻き取り装置３２は、横長の箱型ケーシング３２ｂと、ケーシング３２ｂ内に設けられたモータ３２ｃと、ケーシング３２ｂ内に回転自在に受容されかつモータ３２ｃにより駆動される巻き取り軸３２ｄとを有する。筐体３４内には、図２の制御ユニット８が内蔵されている。シート型タッチパネル３３は、その上縁が巻き取り軸３２ｄに結合されており、モータ３２ｃの正逆転に応じて、巻き取り装置３２に巻き取られ、また繰り出される。
【００４３】
図３に示されるように磁性体からなる金属板１５が設けられているホワイトボード２に対して、巻き取り装置３２を磁気吸引力によりボード面２ａに固定可能にするために、ケーシング３２ｂには板状マグネット３２ａが、また、筐体３４にも板状マグネット３４ａがそれぞれ一体的に設けられている。これにより、ホワイトボード２で使用する場合には、巻き取り装置３２及び筐体３４を磁気吸引力によりボード面２ａの任意の位置に固定することができ、シート型タッチパネル３３にしわが生じないように張った状態に保持し得る。
【００４４】
図８は、他の実施形態のシート型タッチパネルの構成を示す要部拡大断面図である。図８に示されるように、シート型タッチパネル３３は、タッチ面３３ａ側から、合成樹脂製のカバーシート３５、フィルム型電極シート３６、導電性の金属シート３７、柔軟性を有する合成樹脂材からなる吸着シート３８がこの順に一体に積層されて、全体で１枚のシート状に形成されている。なお、金属シート３７としては、銅やアルミニウム製であってよい。
【００４５】
吸着シート３８の吸着面３８ａは、ボード面２ａ等の平坦面に密着させる平面度を有するとよい。また、吸着面３８ａに開口する微細な孔３８ｂが多数配置されているとよく、この場合には、上記密着性と併せてホワイトボード２や机２１等に容易に密着し得る。これにより、タッチ面３３ａに対するタッチ操作に対してシート型タッチパネル３３の安定した固定状態を保持し得る。
【００４６】
また、シート型タッチパネル３３をホワイトボード２に対応し得る大きさにした場合には、各シート３５〜３８のサイズが大きいため、それらの厚みやシート同士の接着の厚さにばらつきが生じるだけでなく、各電極６・７の幅等のばらつきが発生する。さらに、図２に示されるように送信電極６の延在方向の側方部分から配線を引き出して、シート型タッチパネル３３の下縁に設けた筐体５内の制御ユニット８に引き回す場合に配線が長くなり、電極６・７間のインダクタンスが大きくなる。これにより、電極６・７間の交点容量と隣接電極併走分容量とで決まる共振周波数が低くなるという問題が生じる。共振周波数が低下して、制御部８ａによる動作周波数と近くなると、タッチ操作による容量変化（減少）が共振周波数の影響を受けて正常に動作しなくなる虞がある。
【００４７】
図８の構成によれば、電極シート３６に隣接して金属シート３７が設けられていることから、金属シート３７に生じる渦電流によりインダクタンスが低下するため、共振周波数が高まる。共振周波数が動作周波数に比べて十分高くなることにより、安定した動作を行うことができる。これは、電極シート３６と金属シート３７との間の関係であるため、ホワイトボード２や机２１の金属板１５の有無に関わらず、どのような使用状態でも同一パラメータで動作可能となる。
【００４８】
また、金属シート３７が設けられていない場合には、電極６・７間の各交点容量が互いに一定になるように製造されても、上記配線の引き出し長さの影響を受けて変化（オフセット）してしまう。
【００４９】
それに対して、金属シート３７が設けられていることにより、上記配線の引き出し長さに応じて渦電流の効果もあり、その結果、非タッチ状態での電極６・７の全交点容量のばらつきが小さくなり、タッチ操作に対して安定した動作が確保される。
【００５０】
また、大型（広面積）のシート型タッチパネル４をボード面２ａに張り付けた場合にはボード面２ａに対して浮いた部分（しわ）が生じることがある。金属シート３７が設けられていない場合には、しわの部分にタッチすると、電極６・７間の交点容量が、タッチによるものと電極シート３７の形状変化によるものとが混ざり合い、正確な位置を検出できなくなる虞がある。これは、ホワイトボード２側に金属板１５がある場合に、金属板１５との距離や空気を介しての誘電率が異なって、電極６・７間の交点容量が変化するためである。
【００５１】
それに対して、電極シート３６と金属シート３７とが一体化されていることにより、多少のしわが生じても、電極６・７と金属シート３７との間の距離は一定に保持され、また空気の影響も無いため、電極６・７間の交点容量の変化が抑制される。
【００５２】
また、シート型タッチパネル４を大型（広面積）化した場合に高精度に位置検出するために電極ピッチを小さくすると、電極６・７の全交点数が増えることにより交点容量の合計が増える。また、各電極６・７の併走するもの同士の間隔も狭まるため、交点容量がさらに増える。それにより、共振周波数が低くなるため、動作周波数が抑えられてしまう。
【００５３】
それに対して、電極シート３６に隣接して金属シート３７が設けられていることにより上記したようにインダクタンスが減少するため、上記共振周波数の低下を防止することができるため、高精度に検出可能な構成を達成することができる。
【００５４】
以上、本発明を、その好適形態実施例について説明したが、当業者であれば容易に理解できるように、本発明はこのような実施例により限定されるものではなく、本発明の趣旨を逸脱しない範囲で適宜変更可能である。また、上記実施形態に示した構成要素は必ずしも全てが必須なものではなく、本発明の趣旨を逸脱しない限りにおいて適宜取捨選択することが可能である。
【産業上の利用可能性】
【００５５】
本発明にかかるタッチパネル装置は、シート型タッチパネルにしわが生じることなく、かつ検出エラーを防止し得る効果を有し、巻き取り可能な可撓性を有するシート型タッチパネルを用いたタッチパネル装置として有用である。
【符号の説明】
【００５６】
１  タッチパネル装置
２  ホワイトボード
３  巻き取り装置
４  シート型タッチパネル
４ａ  タッチ面
６・７  電極
１１  カバーシート
１２  電極シート
１３  マグネットシート
１３ａ  第１マグネットシート
１３ｂ  第２マグネットシート
１４  ギャップ保持シート
１５  金属板
２１  机
２３  吸着シート
２３ａ  吸着面
【図１】
2013190857.tif 000003
【図２】
2013190857.tif 000004
【図３】
2013190857.tif 000005
【図４】
2013190857.tif 000006
【図５】
2013190857.tif 000007
【図６】
2013190857.tif 000008
【図７】
2013190857.tif 000009
【図８】
2013190857.tif 000010